(57)【要約】【課題】性能能評価と判定を自動的に実行し、また評価の規模に合わせ増設や削除を容易に行うことができる携帯電話基地局評価システムを提供する。【解決手段】携帯電話基地局１は複数の携帯端末２とともに評価対象である。評価システムコントローラ３は評価システムを統括制御する。携帯端末制御手段４は評価システムコントローラ３からの命令に従って複数の携帯端末２を制御する。音声信号確認手段５は複数の携帯端末２のイヤホン／マイクジャックに接続され評価システムコントローラ３の命令に従って携帯端末２の音声入出力を行い、音声入力側においては入力信号をモニタする。疑似無線伝送路６は評価システムコントローラ３の命令に従って遅延量、減衰量、フェージング状態を変更する。疑似上位装置７は携帯電話基地局１と接続され携帯電話システムを構築する。【選択図】      図１
2004235726.tif 000002
【特許請求の範囲】
【請求項１】
携帯電話基地局評価システムにおいて、
評価対象である携帯電話基地局と；
複数の携帯端末と；
評価システムを統括制御する評価手段と；
前記評価手段の統括制御により、複数の前記携帯端末を制御する携帯端末制御手段と；
前記評価手段の統括制御により、前記携帯端末の音声入出力を行い、音声入力信号をモニタする音声信号確認手段と；
前記携帯端末の無線部接栓と前記携帯電話基地局の無線部接栓とに接続され、前記評価手段の統括制御により、無線伝送路の伝搬状態を変更する疑似無線伝送路と；
を備えたことを特徴とする携帯電話基地局評価システム。
【請求項２】
携帯電話基地局評価システムにおいて、
評価対象である携帯電話基地局と；
複数の携帯端末と；
評価システムを統括制御する評価システムコントローラと；
前記携帯端末に接続され前記評価システムコントローラからの命令に従って、複数の前記携帯端末を制御する携帯端末制御手段と；
複数の前記携帯端末のイヤホン／マイクジャックに接続され前記評価システムコントローラの命令に従って前記携帯端末の音声入出力を行い、音声入力側においては入力信号をモニタする音声信号確認手段と；
前記携帯端末の無線部接栓と前記携帯電話基地局の無線部接栓とに接続され、前記評価システムコントローラの命令に従って遅延量、減衰量、フェージング状態を変更する疑似無線伝送路と；
前記携帯電話基地局と接続され携帯電話システムを構築する疑似上位装置と；
を備えたことを特徴とする携帯電話基地局評価システム。
【請求項３】
前記携帯端末制御手段は、前記評価システムコントローラとインターフェースをとる評価システムコントローラインターフェース部と、この評価システムコントローラインターフェース部からの命令を解読処理する命令判断部と、前記携帯端末と音声以外のデータ通信のデータ信号のインターフェースをとる携帯端末インターフェース部と、この携帯端末インターフェース部及び前記評価システムコントローラインターフェース部間のデータ通信処理を行うデータ通信インターフェース部とを有していることを特徴とする請求項２記載の携帯電話基地局評価システム。
【請求項４】
前記携帯端末制御手段は、前記評価システムコントローラからの命令が個々の携帯端末への命令か全ての携帯端末への命令かを判別し、前記携帯端末の動作を制御することを特徴とする請求項２又は請求項３記載の携帯電話基地局評価システム。
【請求項５】
前記携帯端末制御手段を直列接続することにより同時制御する前記携帯端末の数を増加し、音声以外のデータ通信のデータ信号を前記評価システムコントローラに伝送することを特徴とする請求項２、３又は４記載の携帯電話基地局評価システム。
【請求項６】
前記音声信号確認手段は、前記評価システムコントローラとインターフェースをとる評価システムコントローラインターフェース部と、この評価システムコントローラインターフェース部からの命令を解読処理する命令判断部と、この命令判断部の制御により疑似音声信号を生成出力する疑似音声信号発信部と、入力した音声信号をモニタリングする音声信号モニタ部と、前記携帯端末と音声信号のインターフェースをとるマイク／イヤホンインターフェース部とを有していることを特徴とする請求項２記載の携帯電話基地局評価システム。
【請求項７】
前記音声信号確認手段を用い、前記命令判断部より前記疑似音声信号発生部を制御し、発信側及び着信側双方に前記マイク／イヤホンインターフェース部を介して送出された特定周波数の連続音が、それぞれ着信側及び発信側のイヤホンから受信する信号として、前記音声信号モニタ部により検出できるか否かにより着信の正常性を判定することを特徴とする請求項６記載の携帯電話基地局評価システム。
【請求項８】
前記音声信号確認手段は、前記携帯端末が有する音声帯域の特定周波数を発信し、マイクジャックに出力し、この発信した信号をイヤホンジャックより入力し、イヤホンジャックに入力した断続的信号を検出することを特徴とする請求項６記載の携帯電話基地局評価システム。
【請求項９】
前記音声信号確認手段を直列接続することにより、同時に確認する携帯端末の数を増加することを特徴とする請求項２、６、７又は８記載の携帯電話基地局評価システム。
【請求項１０】
前記評価システムコントローラは、前記評価システムコントローラインターフェース部を介して前記音声信号確認手段に対し、着信側及び発信側それぞれの音声確認命令を送出し、音声確認結果を得て前記発信側及び前記着信側双方とも音声信号を確認できた場合に呼接続を確認ＯＫとして判定し、評価終了後、発着信の数及び呼接続確認ＯＫの数により発着呼率を算出することを特徴とする請求項２記載の携帯電話基地局評価システム。
【請求項１１】
前記評価システムコントローラにより前記疑似無線伝送路を所望の状態に設定し、前記携帯端末制御手段を介して前記携帯端末の制御及び発信を行い、次に前記音声信号確認手段に着信すべき前記携帯端末の着信音を確認する命令を送出し、決められた時間内に着信音の確認ができた場合に、前記携帯端末制御手段に対し当該携帯端末の着信命令を送出して前記携帯端末の着信制御を行い、決められた時間内に着信音が得られない場合は、着信ＮＧとして判定することを特徴とする請求項２記載の携帯電話基地局評価システム。
【請求項１２】
請求項２〜１１のいずれか１項に記載の携帯電話基地局評価システムを、前記疑似上位装置側に含まれる固定電話からの着信や固定電話への発信に適用したことを特徴とする携帯電話基地局評価システム。
【請求項１３】
請求項１〜１１のいずれか１項に記載の携帯電話基地局評価システムを、音声のみでなく音声＋データのマルチコールも可能なシステムであるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムにデータの通信経路を設けて適用したことを特徴とする携帯電話基地局評価システム。
【請求項１４】
前記Ｗ−ＣＤＭＡシステムのコントローラ側にＦＴＰ（Ｆｉｌｅ  Ｔｒａｎｓｆｅｒ  Ｐｒｏｔｏｃｏｌ）のデータ通信機能を備えたことを特徴とする請求項１３記載の携帯電話基地局評価システム。
【発明の詳細な説明】
【０００１】
【発明の属する技術分野】
本発明は携帯電話基地局評価システムに関し、特に複数の携帯端末を同時に制御し、人手を介することなく自動的に評価の実行・判定を行う携帯電話基地局評価システムに関する。
【０００２】
【従来の技術】
一般に、移動通信機器に対する発呼、着呼、通話品質等の総合性能評価を行うために実フィールドでの試験が行われるが、信頼性の高い評価と評価試験期間短縮のために、この実フィールド環境を実験室内で再現する試験システムが開発されている。
【０００３】
携帯電話機等の移動端末は、通話品質確認の発呼、着呼試験及び負荷試験等の実施には各々の操作を行う必要があり、多数の人手が必要になるのが現状である。また、この場合作業員の熟練度のばらつきや、操作ミスの可能性がある。
【０００４】
従来の携帯電話基地局評価システムは、擬似基地局が生成した信号を複数のパスに分配し、これらのパス毎に所定の遅延量、移相量、減衰量を与えて合成した送信信号を電波暗室内のアンテナから送信することで電波暗室内に所望の電波環境を生成し、この電波環境内で送信信号を受信する無線通信端末の評価を行っている（例えば、特許文献１参照。）。
【０００５】
また、実際に使用される環境下で移動端末の試験を行うことができ、作業員数を削減できるようにするために、複数の移動端末を移動端末制御装置に接続し、この移動端末制御装置が複数の移動端末に制御信号を送出することで、複数の移動端末の発呼及び着呼動作を確認し、また通話状態に設定した状態で試験信号を送出し、折り返された試験信号の受信状態を確認することにより、移動端末の通話品質を試験しているものもある（例えば、特許文献２参照。）。
【０００６】
【特許文献１】
特開２０００−３２４０６３号公報（第２−５頁、図１）
【特許文献２】
特開平１１−１２７１０２号公報（第２−４頁、図１）
【０００７】
【発明が解決しようとする課題】
上述した従来の携帯電話基地局評価システムは、通話品質確認の発呼、着呼試験及び負荷試験等の実施には各々の操作を行う必要があり、多数の人手が必要になるという欠点を有している。
【０００８】
また、この場合作業員の熟練度のばらつきや、操作ミスの可能性が生じるという欠点を有している。
【０００９】
本発明の目的は、人手を介することなく手動では操作の困難な負荷的評価や性能評価と判定を自動的に実行し、また評価の規模に合わせ増設や削除を容易に行うことができ、効率的にかつ安価なスケーラビリティに優れた評価系の構築が可能になる携帯電話基地局評価システムを提供することにある。
【００１０】
【課題を解決するための手段】
本発明の第１の携帯電話基地局評価システムは、携帯電話基地局評価システムにおいて、
評価対象である携帯電話基地局と；
複数の携帯端末と；
評価システムを統括制御する評価手段と；
前記評価手段の統括制御により、複数の前記携帯端末を制御する携帯端末制御手段と；
前記評価手段の統括制御により、前記携帯端末の音声入出力を行い、音声入力信号をモニタする音声信号確認手段と；
前記携帯端末の無線部接栓と前記携帯電話基地局の無線部接栓とに接続され、前記評価手段の統括制御により、無線伝送路の伝搬状態を変更する疑似無線伝送路と；
を備えたことを特徴としている。
【００１１】
本発明の第２の携帯電話基地局評価システムは、携帯電話基地局評価システムにおいて、
評価対象である携帯電話基地局と；
複数の携帯端末と；
評価システムを統括制御する評価システムコントローラと；
前記携帯端末に接続され前記評価システムコントローラからの命令に従って、複数の前記携帯端末を制御する携帯端末制御手段と；
複数の前記携帯端末のイヤホン／マイクジャックに接続され前記評価システムコントローラの命令に従って前記携帯端末の音声入出力を行い、音声入力側においては入力信号をモニタする音声信号確認手段と；
前記携帯端末の無線部接栓と前記携帯電話基地局の無線部接栓とに接続され、前記評価システムコントローラの命令に従って遅延量、減衰量、フェージング状態を変更する疑似無線伝送路と；
前記携帯電話基地局と接続され携帯電話システムを構築する疑似上位装置と；
を備えたことを特徴としている。
【００１２】
本発明の第３の携帯電話基地局評価システムは、前記第２の携帯電話基地局評価システムにおいて、
前記携帯端末制御手段は、前記評価システムコントローラとインターフェースをとる評価システムコントローラインターフェース部と、この評価システムコントローラインターフェース部からの命令を解読処理する命令判断部と、前記携帯端末と音声以外のデータ通信のデータ信号のインターフェースをとる携帯端末インターフェース部と、この携帯端末インターフェース部及び前記評価システムコントローラインターフェース部間のデータ通信処理を行うデータ通信インターフェース部とを有していることを特徴としている。
【００１３】
本発明の第４の携帯電話基地局評価システムは、前記第２または第３の携帯電話基地局評価システムにおいて、
前記携帯端末制御手段は、前記評価システムコントローラからの命令が個々の携帯端末への命令か全ての携帯端末への命令かを判別し、前記携帯端末の動作を制御することを特徴としている。
【００１４】
本発明の第５の携帯電話基地局評価システムは、前記第２〜第４の携帯電話基地局評価システムにおいて、
前記携帯端末制御手段を直列接続することにより同時制御する前記携帯端末の数を増加し、音声以外のデータ通信のデータ信号を前記評価システムコントローラに伝送することを特徴とすることを特徴としている。
【００１５】
本発明の第６の携帯電話基地局評価システムは、前記第２の携帯電話基地局評価システムにおいて、
前記音声信号確認手段は、前記評価システムコントローラとインターフェースをとる評価システムコントローラインターフェース部と、この評価システムコントローラインターフェース部からの命令を解読処理する命令判断部と、この命令判断部の制御により疑似音声信号を生成出力する疑似音声信号発信部と、入力した音声信号をモニタリングする音声信号モニタ部と、前記携帯端末と音声信号のインターフェースをとるマイク／イヤホンインターフェース部とを有していることを特徴としている。
【００１６】
本発明の第７の携帯電話基地局評価システムは、前記第６の携帯電話基地局評価システムにおいて、
前記音声信号確認手段を用い、前記命令判断部より前記疑似音声信号発生部を制御し、発信側及び着信側双方に前記マイク／イヤホンインターフェース部を介して送出された特定周波数の連続音が、それぞれ着信側及び発信側のイヤホンから受信する信号として、前記音声信号モニタ部により検出できるか否かにより着信の正常性を判定することを特徴としている。
【００１７】
本発明の第８の携帯電話基地局評価システムは、前記第６の携帯電話基地局評価システムにおいて、
前記音声信号確認手段は、前記携帯端末が有する音声帯域の特定周波数を発信し、マイクジャックに出力し、この発信した信号をイヤホンジャックより入力し、イヤホンジャックに入力した断続的信号を検出することを特徴としている。
【００１８】
本発明の第９の携帯電話基地局評価システムは、前記第２、第６、第７または第８の携帯電話基地局評価システムにおいて、
前記音声信号確認手段を直列接続することにより、同時に確認する携帯端末の数を増加することを特徴としている。
【００１９】
本発明の第１０の携帯電話基地局評価システムは、前記第２の携帯電話基地局評価システムにおいて、
前記評価システムコントローラは、前記評価システムコントローラインターフェース部を介して前記音声信号確認手段に対し、着信側及び発信側それぞれの音声確認命令を送出し、音声確認結果を得て前記発信側及び前記着信側双方とも音声信号を確認できた場合に呼接続を確認ＯＫとして判定し、評価終了後、発着信の数及び呼接続確認ＯＫの数により発着呼率を算出することを特徴としている。
【００２０】
本発明の第１１の携帯電話基地局評価システムは、前記第２の携帯電話基地局評価システムにおいて、
前記評価システムコントローラにより前記疑似無線伝送路を所望の状態に設定し、前記携帯端末制御手段を介して前記携帯端末の制御及び発信を行い、次に前記音声信号確認手段に着信すべき前記携帯端末の着信音を確認する命令を送出し、決められた時間内に着信音の確認ができた場合に、前記携帯端末制御手段に対し当該携帯端末の着信命令を送出して前記携帯端末の着信制御を行い、決められた時間内に着信音が得られない場合は、着信ＮＧとして判定することを特徴としている。
【００２１】
本発明の第１２の携帯電話基地局評価システムは、前記第２〜第１１のいずれかの携帯電話基地局評価システムを、前記疑似上位装置側に含まれる固定電話からの着信や固定電話への発信に適用したことを特徴としている。
【００２２】
本発明の第１３の携帯電話基地局評価システムは、前記第１〜第１１のいずれかの携帯電話基地局評価システムを、音声のみでなく音声＋データのマルチコールも可能なシステムであるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムにデータの通信経路を設けて適用したことを特徴としている。
【００２３】
本発明の第１４の携帯電話基地局評価システムは、前記第１３の携帯電話基地局評価システムにおいて、
前記Ｗ−ＣＤＭＡシステムのコントローラ側にＦＴＰ（Ｆｉｌｅ  Ｔｒａｎｓｆｅｒ  Ｐｒｏｔｏｃｏｌ）のデータ通信機能を備えたことを特徴としている。
【００２４】
【発明の実施の形態】
次に、本発明の実施の形態について図面を参照して説明する。
【００２５】
図１は本発明の携帯電話基地局評価システムの一つの実施の形態を示すブロック図である。
【００２６】
図１に示す本実施の形態は、評価対象である携帯電話基地局１と、複数の携帯端末２と、評価システムを統括制御する評価システムコントローラ３と、携帯端末２に接続され評価システムコントローラ３からの命令に従って複数の携帯端末２を制御する携帯端末制御手段４と、複数の携帯端末２のイヤホン／マイクジャックに接続され評価システムコントローラ３の命令に従って携帯端末２の音声入出力を行い、音声入力側においては入力信号をモニタする音声信号確認手段５と、携帯端末２の無線部接栓と携帯電話基地局１の無線部接栓とに接続され、評価システムコントローラ３の命令に従って遅延量、減衰量、フェージング状態を変更する疑似無線伝送路６と、携帯電話基地局１と接続され携帯電話システムを構築する疑似上位装置７とから構成されている。
【００２７】
携帯端末制御手段４は、評価システムコントローラ３からの命令が個々の携帯端末２への命令か全ての携帯端末２への命令かを判別し、携帯端末２の動作を制御する。ここで制御の内容は、電話番号の押下、発信・着信ボタンの押下、電源ＯＮ／ＯＦＦ等の一般的な携帯電話への操作をコマンドにより実行するものである。
【００２８】
また、携帯端末制御手段４を直列接続することにより同時制御する携帯端末２の数を増加し、音声以外のデータ通信のデータ信号を評価システムコントローラ３に伝送することができる。
【００２９】
音声信号確認手段５は、携帯端末２が有する音声帯域の特定周波数を発信し、マイクジャックに出力し、この発信した信号をイヤホンジャックより入力し、イヤホンジャックに入力した断続的信号を検出する（無音時間を測定する）。
【００３０】
また、音声信号確認手段５を直列接続することにより、同時に確認する端末の数を増加することができる。評価システムコントローラ３は、音声信号確認手段５からの信号確認結果に基づき発着呼率を算出する。
【００３１】
次に、図１を参照して本実施の形態の動作をより詳細に説明する。
【００３２】
通常、システム評価は、携帯端末２を疑似無線伝送路６を介して携帯電話基地局１に接続し、携帯端末２を手動操作することにより呼接続確認を行い、通話状態に関しては人が実際に声を発し、また耳で音声を確認することで行われる。連続発着呼や同時発着呼の評価についても、人手により行われている。
【００３３】
本発明の携帯電話基地局評価システムでは、評価システムコントローラ３により疑似無線伝送路６を所望の状態に設定し、また携帯端末制御手段４を介して携帯端末２の制御を行い発信を行う。評価システムコントローラ３は、次に音声信号確認手段５に着信すべき端末（上記で発信した端末の相手先）の着信音を確認する命令を送出し、決められた時間内に着信音の確認ができた場合に、携帯端末制御手段４に対し当該携帯端末２の着信命令を送出して携帯端末２の着信制御を行う。評価システムコントローラ３は、決められた時間内に着信音が得られない場合は、着信ＮＧとして判定する。
【００３４】
図２は図１の音声信号確認手段を示す詳細ブロック図である。
【００３５】
なお、図２において図１に示す構成要素に対応するものは同一の参照数字または符号を付し、その説明を省略する。
【００３６】
図２の音声信号確認手段は、評価システムコントローラ３とインターフェースをとる評価システムコントローラインターフェース部２１と、この評価システムコントローラインターフェース部２１からの命令を解読処理する命令判断部２２と、この命令判断部２２の制御により疑似音声信号を生成出力する疑似音声信号発信部２４と、入力した音声信号をモニタリングする音声信号モニタ部２５と、携帯端末２と音声信号のインターフェースをとるマイク／イヤホンインターフェース部２３とを有している。
【００３７】
着信の正常性は、音声信号確認手段５の命令判断部２２により疑似音声信号発信部２４を制御することで、発信側及び着信側双方にマイク／イヤホンインターフェース部２３を介して送出された特定周波数の連続音が、それぞれ着信側及び発信側のイヤホンから受信する信号として、音声信号モニタ部２５により検出できるか否かにより判定する。
【００３８】
評価システムコントローラ３は、評価システムコントローラインターフェース部２１を介して音声信号確認手段５に対し、着信側及び発信側それぞれの音声確認命令を送出し、音声確認結果を得る。発信側及び着信側双方とも音声信号を確認できた場合に呼接続を確認ＯＫとして判定する。評価システムコントローラ３は、評価終了後、発着信の数及び呼接続確認ＯＫの数により発着呼率を算出する。
【００３９】
ここで着信音の検出については、一般に着信音は断続音が用いられ、それに対し疑似音声は連続音を用いる。
【００４０】
図３は図１の携帯端末制御手段を示す詳細ブロック図である。
【００４１】
なお、図３において図１に示す構成要素に対応するものは同一の参照数字または符号を付し、その説明を省略する。
【００４２】
図３の携帯端末制御手段は、評価システムコントローラ３とインターフェースをとる評価システムコントローラインターフェース部３１と、この評価システムコントローラインターフェース部３１からの命令を解読処理する命令判断部３２と、携帯端末２と音声以外のデータ通信のデータ信号のインターフェースをとる携帯端末インターフェース部３３と、携帯端末インターフェース部３３及び評価システムコントローラインターフェース部３１間のデータ通信処理を行うデータ通信インターフェース部３４とを有している。
【００４３】
ここでは図２の音声信号モニタ部２５に対して、無音時間の計測手段を設けることにより着信音の検出が可能となり、発着信の確認が自動で行える。
【００４４】
図１に戻り、携帯電話基地局１の評価おいては、同時発信等の負荷をかけることが重要な評価項目になる。そのために、評価システムコントローラ３に送出する命令に対し、個別の携帯端末２に対する命令か、全ての携帯端末２に対する命令かを識別する識別子を設ける。命令判断部３２はこの識別子を判別して、携帯端末インターフェース部３３に命令を送出することになる。
【００４５】
例えば、発信する携帯端末２に対して、着信側の電話番号の設定は個別に行う必要があるが、本設定後に全ての携帯端末２に対し発信操作を行うと同時発信が可能となる。同様に、同時着信操作も可能である。
【００４６】
また、電源のオフ機能を有することにより、携帯端末２との通信の突然の遮断の状況を作り出すことができるので、異常時の基地局の処理等も評価することができる。
【００４７】
なお、疑似上位装置７側に含まれる固定電話からの着信や固定電話への発信に関しても同様な手段を用いることにより、評価が可能である。
【００４８】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）のシステムでは、音声のみでなく音声＋データのマルチコールも可能なシステムであるが、データの通信経路を設けることにより同様な試験が可能である。データ通信の場合は、コントローラ側にＦＴＰ（Ｆｉｌｅ  Ｔｒａｎｓｆｅｒ  Ｐｒｏｔｏｃｏｌ）等のデータ通信機能を持たせて行うことになる。
【００４９】
以上のように、本システムを用いることにより、人間の手や口や耳で行っていた評価を容易に自動化し、効率よく、確実に行うことが可能となる。
【００５０】
また、疑似装置を実機に変更することにより、変更した実機に対する評価システムともなる。
【００５１】
【発明の効果】
以上説明したように、本発明の携帯電話基地局評価システムは、同時に複数の携帯電話端末を制御することができるので、同時発呼や同時着呼等のように手動では操作の困難な負荷的評価も容易に実施することができるという効果を有している。
【００５２】
また、着信の検出や通話状態を確認することができるため、人手を介することなく自動的に性能評価の実行と判定が可能となり、効率的にかつ安価に評価を行うことができるという効果を有している。
【００５３】
さらに、端末制御装置や音声信号確認手段が直列接続できる手段を有することにより、評価の規模に合わせ増設や削除を容易に行うことができ、スケーラビリティに優れた評価系の構築が可能になるという効果を有している。
【図面の簡単な説明】
【図１】本発明の携帯電話基地局評価システムの一つの実施の形態を示すブロック図である。
【図２】図１の音声信号確認手段を示す詳細ブロック図である。
【図３】図１の携帯端末制御手段を示す詳細ブロック図である。
【符号の説明】
１    携帯電話基地局
２    携帯端末
３    評価システムコントローラ
４    携帯端末制御手段
５    音声信号確認手段
６    疑似無線伝送路
７    疑似上位装置
２１    評価システムコントローラインターフェース部
２２    命令判断部
２３    マイク／イヤホンインターフェース部
２４    疑似音声信号発信部
２５    音声信号モニタ部
３１    評価システムコントローラインターフェース部
３２    命令判断部
３３    携帯端末インターフェース部
３４    データ通信インターフェース部
【図１】
2004235726.tif 000003
【図２】
2004235726.tif 000004
【図３】
2004235726.tif 000005